(57)【特許請求の範囲】
【請求項１】
建物の屋外面の隅角部に表面処理が施される家屋構造であって、
前記隅角部は三側面又は二側面で形成され、前記三側面又は二側面の少なくとも一側面の表面に前記表面処理として光触媒粒子を有し、前記光触媒粒子を前記表面に担持させるとともに、蜘蛛等忌避剤を前記表面に有し、前記光触媒粒子によって分解して蜘蛛等忌避効果のある物質を生成する有機性材料を前記表面に有することを特徴とする家屋構造。
【請求項２】
請求項１記載の家屋構造であって、前記蜘蛛等忌避剤はマイクロカプセルに内包された状態で前記表面に有することを特徴とする家屋構造。
【請求項３】
請求項１に記載の家屋構造であって、前記光触媒粒子とともに蜘蛛等忌避剤を前記表面に樹脂を介して有することを特徴とする家屋構造。
【発明の詳細な説明】
【技術分野】
【０００１】
本発明は建物の家屋構造に関し、詳しくは、隅角部の出隅又は入隅に蜘蛛等の巣を妨げる表面処理が施される家屋構造の技術に関する。 
【背景技術】
【０００２】
従来、建物の隅角部は蜘蛛等により汚れが目立つ等の問題が発生していた。この問題を解決するため、従来技術として特許文献１に記載の内容が知られている。
【０００３】
この特許文献１によれば、図８に示す如く、建物の隅角部における蜘蛛等の巣を妨げる家屋構造１の表面処理は、隅角部を構成する側面１０に蜘蛛が留まったり這い回ったりするのを防止するため蜘蛛等忌避剤９を有している。
【０００４】
蜘蛛等忌避剤９には剥離剤が使用され、特に、シリコーン系剥離剤で塗装された蜘蛛等忌避剤９の表面は極めて表面張力の小さい面となり、表面張力の値が例えば２０ｄｙｎ/ｃｍ又はそれ以下になる。
【０００５】
このように、表面のぬれが極めて悪くなるため蜘蛛等は歩行が困難になるので蜘蛛等の忌避効果が得られる。また、蜘蛛が巣を張るときの糸が付着しにくくなるため蜘蛛の巣が張ることを防止できる。
【特許文献１】特開平１１−３４９８６２号公報
【発明の開示】
【発明が解決しようとする課題】
【０００６】
上記の家屋構造１は、蜘蛛等忌避剤に剥離剤を使用して極めて表面張力の小さい表面にすることで、蜘蛛が近寄りにくくして蜘蛛の巣が張らないようする構成である。
【０００７】
ところが、このような家屋構造１でも、蜘蛛の巣を張ることを完全に防止することは困難であり、一旦蜘蛛の巣が張ってしまった場合には掃除をして巣を取払う必要があった。また、蜘蛛等忌避剤の忌避効果に長期の持続性がなく、防汚効果もないため、水垢による汚れ掃除等のメンテナンスが不可欠であった。
【０００８】
そこで、本発明はかかる従来技術の問題に鑑みなされたものであって、蜘蛛等忌避作用の持続性を向上させて蜘蛛が巣を張るのを妨げるとともに、仮に蜘蛛の巣が張った場合でも、自然に蜘蛛の巣の切断ができて汚れの防止・除去ができる表面処理がなされた家屋構造を提供することを目的とする。  
【課題を解決するための手段】
【０００９】
請求項１の発明は、建物の屋外面の隅角部に表面処理が施される家屋構造であって、前記隅角部は三側面又は二側面で形成され、前記三側面又は二側面の少なくとも一側面の表面に前記表面処理として光触媒粒子を有し、前記光触媒粒子を前記表面に担持させるとともに、蜘蛛等忌避剤を前記表面に有し、前記光触媒粒子によって分解して蜘蛛等忌避効果のある物質を生成する有機性材料を前記表面に有することを特徴としている。
【００１１】
請求項２の発明は、請求項１記載の家屋構造であって、前記蜘蛛等忌避剤はマイクロカプセルに内包された状態で前記表面に有することを特徴としている。
【００１３】
請求項３の発明は、請求項１に記載の家屋構造であって、前記光触媒粒子とともに蜘蛛等忌避剤を前記表面に樹脂を介して有することを特徴としている。
【発明の効果】
【００１４】
請求項１記載の発明によれば、建物の屋外面の隅角部に表面処理が施される家屋構造であって、前記隅角部は三側面又は二側面で形成され、前記三側面又は二側面の少なくとも一側面の表面に前記表面処理として光触媒粒子を有するので、光触媒作用により汚れを分解する防汚作用及び抗菌作用が働くので蜘蛛の巣が張るのを抑制できるので、前記側面のメンテナンス性が向上する。
【００１５】
また、前記側面に蜘蛛の巣が張った場合でも、光触媒粒子の光触媒作用によって、有機物である付着した蜘蛛の糸の表面から徐々に分解していき、蜘蛛の糸の表面が脆なくなり、このような状態のときに風などの作用によって脆なくなった部分がちぎれることで自然に蜘蛛の巣の切断ができる。
【００１６】
さらに、前記光触媒粒子を前記表面に担持させるとともに、蜘蛛等忌避剤を前記表面に有するので、光触媒作用により前記側面にクモの巣が張ることを抑制するとともに汚れも分解するのでメンテ性が向上する効果に加えて、忌避効果を有する物質を有することで忌避効果の持続性も長くできて忌避効果が向上する。また、前記光触媒粒子によって分解して蜘蛛等忌避効果のある物質を生成する有機性材料を前記表面に有するので、忌避効果とその持続性を向上することができる。
【００１７】
請求項２記載の発明によれば、請求項１記載の家屋構造であって、前記蜘蛛等忌避剤はマイクロカプセルに内包された状態で前記表面に有するので、マイクロカプセルに内包することで忌避効果の持続性を向上することができる。
【００１９】
請求項３記載の発明によれば、請求項１に記載の家屋構造であって、前記光触媒粒子とともに蜘蛛等忌避剤を前記表面に樹脂を介して有するので、前記光触媒粒子と蜘蛛等忌避剤を厚めに塗布することができるので忌避効果とその持続性が向上する。
【発明を実施するための最良の形態】
【００２０】
＜本発明の第1の実施形態＞
以下に、本発明の第1の実施形態を図１〜図２に基づいて説明する。
【００２１】
＜家屋構造の構成＞  
図１、図２に示すように、本発明の家屋構造１１は建物１２の屋外面の隅角部１６（入隅の状態）に表面処理１７が施される。隅角部１６は三側面１３（軒天井材１４、軒天井材１４、壁面１５）又は二側面１３（軒天井材１４、壁面１５）で形成され、三側面１３又は二側面１３の少なくとも一側面１３の表面１３ａに表面処理１７が施工される。
【００２２】
表面処理１７の構成は、表面１３ａに光触媒粒子１８を担持させるとともに、蜘蛛等忌避剤１９が表面１３ａに固着される。
【００２３】
より詳しくは、触媒層２０（光触媒粒子１８を含むルチル型の酸化チタン系のゾル）と、蜘蛛等忌避剤１９（不揮発性のピレスロイド化合物）とを混合して表面１３ａに塗布することで表面処理１７が形成される。
【００２４】
＜家屋構造の作用＞  
光触媒粒子１８の抗菌作用によって側面１３の表面１３ａにクモの巣が張ることを抑制できるとともに、光触媒粒子１８の防汚作用により汚れを分解するので隅角部１６のメンテナンスに手間が掛からなくなりメンテ性が向上する。さらに、蜘蛛等忌避剤１９の忌避効果によっても蜘蛛の巣が張るのが抑制できるので相乗効果が得られる。
【００２５】
側面１３に蜘蛛の巣が張った場合でも、光触媒粒子の光触媒作用によって、有機物である付着した蜘蛛の糸の表面から徐々に分解していき、蜘蛛の糸の表面が脆なくなり、このような状態のときに風などの作用によって脆なくなった部分がちぎれるので、蜘蛛の巣を側面１３から自然に剥がすことができる。
【００２６】
＜本発明の第２の実施形態＞
以下に、本発明の第２の実施形態を図３に基づいて説明する。図３に示すように、家屋構造１１は、側面１３の表面１３ａに光触媒粒子１８を担持させるとともに、蜘蛛等忌避剤１９を含有する無機材料２１が表面１３ａに固着される。
【００２７】
より詳しくは、触媒層２０（光触媒粒子１８を含むルチル型の酸化チタン系のゾル）と、蜘蛛等忌避剤１９（不揮発性のピレスロイド化合物）を含有する無機材料２１（ゼオライト）とを混合して表面１３ａに塗布することで表面処理１７が形成される。
【００２８】
このため、蜘蛛等忌避剤１９は無機材料２１に含有されて側面１３の表面１３ａに固着されるので、表面１３ａから剥がれにくくなるため忌避効果の持続時間が長くなる。特に、蜘蛛等忌避剤１９が揮発性の場合には、更に忌避効果の持続時間を長くする顕著な効果が得られる。
【００２９】
なお、図３は模式図であるため、蜘蛛等忌避剤１９と無機材料２１の領域の触媒層２０が光触媒粒子１８の領域よりも大きく突出しているように描かれているが、実際には略平面状に形成される。
【００３０】
＜本発明の第３の実施形態＞
以下に、本発明の第３の実施形態を図４に基づいて説明する。図４に示すように、家屋構造１１は、側面１３の表面１３ａに光触媒粒子１８を担持させるとともに、蜘蛛等忌避剤１９はマイクロカプセル２２に内包されて表面１３ａに固着される。
【００３１】
より詳しくは、触媒層２０（光触媒粒子１８を含むルチル型の酸化チタン系のゾル）と、ポリアクリロニトリルを主成分としたマイクロカプセルに内包した蜘蛛等忌避剤１９（不揮発性のピレスロイド化合物）とを混合して表面１３ａに塗布することで表面処理１７が形成される。
【００３２】
このため、蜘蛛等忌避剤１９がマイクロカプセル２２に内包されているため、忌避効果の持続時間が長くなる。特に、揮発性の蜘蛛等忌避剤１９の場合には更に顕著な効果が得られる。マイクロカプセルは有機系の材料であれば、特に材質にはこだわらない。
【００３３】
なお、図４は模式図であるため、マイクロカプセル２２の領域の触媒層２０が光触媒粒子１８の領域よりも大きく突出しているように描かれているが、実際には略平面状に形成される。
【００３４】
＜本発明の第４の実施形態＞
以下に、本発明の第４の実施形態を図５に基づいて説明する。図５に示すように、家屋構造１１は、側面１３の表面１３ａに光触媒粒子１８を担持させるとともに、蜘蛛等忌避剤１９と、光触媒で分解されると忌避効果のある物質を作成する有機物２３で構成される。
【００３５】
より詳しくは、触媒層２０（光触媒粒子１８を含むルチル型の酸化チタン系のゾル）と、蜘蛛等忌避剤１９（不揮発性のピレスロイド化合物）と、光触媒で分解されると忌避効果のある物質を作成する有機物２３（酢酸ビニル樹脂）とを混合して表面１３ａに塗布することで表面処理１７が形成される。
【００３６】
このため、有機物２３が光触媒で分解されると忌避効果のある物質を発生するため、忌避性能が向上し効果の持続性も長くできる。
【００３７】
＜本発明の第５の実施形態＞
以下に、本発明の第５の実施形態を図６に基づいて説明する。図６に示すように、家屋構造１１は、側面１３の表面１３ａに光触媒粒子１８を担持させるとともに、蜘蛛等忌避剤１９と、光触媒で分解されると忌避効果のある物質を作成する有機物２３を内包したマイクロカプセル２２から構成される。
【００３８】
より詳しくは、蜘蛛等忌避剤１９（不揮発性のピレスロイド化合物）と光触媒で分解されると忌避効果のある物質を作成する有機物２３（酢酸ビニル樹脂）とを同時にマイクロカプセル２２で内包する。そして、このマイクロカプセル２２と、触媒層２０（光触媒粒子１８を含むルチル型の酸化チタン系のゾル）とを混合して表面１３ａに塗布することで表面処理１７が形成される。
【００３９】
このため、有機物２３は光触媒で分解されると忌避効果のある物質を発生するとともにマイクロカプセル内部から忌避効果のある物質が表面にでてくるため、忌避効果の持続性を長くできて忌避性能が向上する。マイクロカプセルは有機系の材料であれば、特に材質にはこだわらない。
【００４０】
なお、図６は模式図であるため、マイクロカプセル２２の領域の触媒層２０が光触媒粒子１８の領域よりも大きく突出しているように描かれているが、実際には略平面状に形成される。
【００４１】
＜本発明の第６の実施形態＞
以下に、本発明の第６の実施形態を図７に基づいて説明する。図７に示すように、家屋構造１１は、側面１３の表面部分１３ｂ（表面１３ａを含み表面上に厚みを持つ領域）に、光触媒粒子１８、蜘蛛等忌避剤１９、触媒層２０が樹脂２６によってコーティングされる。
【００４２】
より詳しくは、触媒層２０（光触媒粒子１８を含むルチル型の酸化チタン系のゾル）と、蜘蛛等忌避剤１９（不揮発性のピレスロイド化合物）と、樹脂２６（光触媒で分解されにくいアクリルシリコン樹脂）を用い、これらを混合して側面１３の表面部分１３ｂに塗布することで表面処理１７が形成される。この状態は光触媒粒子１８を側面１３の表面１３ａに担持させない状態である。
【００４３】
このため、光触媒粒子１８が樹脂２６で固着されているため表面１３ａから剥がれることがないので、耐久性のある塗膜構造が得られる。
【００４４】
なお、好ましくは、光触媒で分解されると忌避効果のある物質を作成する有機物を同時に触媒層２０に混合すると、さらに忌避性能が向上し忌避効果の持続性を長くできる。
【００４５】
以上、本発明の実施形態を図面に基づいて説明したが、上記の実施例はいずれも本発明の一例を示したものであり、本発明はこれらに限定されるべきでないということは言うまでもない。
【００４６】
たとえば、光触媒を粒子の状態で用いる代わりに、光触媒を無機材料に担持させて使用することもできる。光触媒で分解されると忌避効果のある物質を発生する有機物の材質は酢酸ビニル樹脂以外の材質でも構わない。
【００４７】
触媒層２０は、アナターゼ型やブルッカイト型の結晶構造でも構わない。また、酸化タングステンや酸化亜鉛などの光触媒でもよい。触媒層２０を表面１３ａに固着させることができれば、触媒層２０の固着方法はゾルに限定されるものではない。
【００４８】
蜘蛛等忌避剤１９は、揮発性のピレスロイド化合物でもよい。無機材料２１はシリカゲルやシリカ、アルミナ等を用いてもよい。
【図面の簡単な説明】
【００４９】
【図１】本発明の第1の実施形態における、建物１２の屋外面の隅角部１６に表面処理１７が施される家屋構造１１の状態を示す斜視図である。
【図２】本発明の第１の実施形態における、表面１３ａに光触媒粒子１８を担持させるとともに、蜘蛛等忌避剤１９が表面１３ａに固着される表面処理１７の状態を示す断面摸式図である。
【図３】本発明の第２の実施形態における、表面１３ａに光触媒粒子１８を担持させるとともに、蜘蛛等忌避剤１９を含有する無機材料２１を表面１３ａに固着する状態を示す断面摸式図である。
【図４】本発明の第３の実施形態における、表面１３ａに光触媒粒子１８を担持させるとともに、蜘蛛等忌避剤１９をマイクロカプセル２２に内包して表面１３ａに固着する状態を示す断面摸式図である。
【図５】本発明の第４の実施形態における、表面１３ａに光触媒粒子１８を担持させるとともに、蜘蛛等忌避剤１９と光触媒で分解されると忌避効果のある物質を作成する有機物２３を表面１３ａに固着する状態を示す断面摸式図である。
【図６】本発明の第５の実施形態における、表面１３ａに光触媒粒子１８を担持させるとともに、蜘蛛等忌避剤１９と、光触媒で分解されると忌避効果のある物質を作成する有機物２３を内包したマイクロカプセル２２を表面１３ａに固着する状態を示す断面摸式図である。
【図７】本発明の第６の実施形態における、表面部分１３ｂに、蜘蛛等忌避剤１９、触媒層２０（光触媒粒子１８を含む）が樹脂２６によってコーティングして固着する状態を示す断面摸式図である。
【図８】従来例における、建物の隅角部を構成する側面１０に蜘蛛等忌避剤９を有する家屋構造１の状態を示す断面図である。
【符号の説明】
【００５０】
１１  家屋構造
１２  建物
１３  側面
１３ａ  表面
１３ｂ  表面部分
１４  軒天井材
１５  壁面
１６  隅角部
１７  表面処理
１８  光触媒粒子
１９  蜘蛛等忌避剤
２０  触媒層
【図１】
0004742853.tif 000002
【図２】
0004742853.tif 000003
【図３】
0004742853.tif 000004
【図４】
0004742853.tif 000005
【図５】
0004742853.tif 000006
【図６】
0004742853.tif 000007
【図７】
0004742853.tif 000008
【図８】
0004742853.tif 000009